(57)【要約】【課題】蓋部の開閉が容易にできる書類携帯用ケースを提供する。【解決手段】樹脂シートを折り曲げて形成した本体２と、本体２の背面２２から伸び出る蓋部３とを有する書類携帯用ケースにおいて、持手４を本体２の正面２１に蓋部３の自由端３１近傍の位置に取り付け、持手５を背面２２に取り付けた。これにより、蓋部３の跳ね上がりを防ぐことができる。また、蓋部３に荷重が作用することがなくなるため、簡単な留具６で蓋部３を留めることができ、開閉を容易に行うことができる。【選択図】図５
0003196739.tif 000002
【実用新案登録請求の範囲】
【請求項１】
正面及び背面を有し、薄い箱型に形成された本体と、
前記本体の背面から伸び出て、前記本体の上部を覆うとともに先端が前記本体の正面の上に重なる蓋部と、
前記本体の正面及び背面にそれぞれ取り付けられ、前記蓋部の上に沿うようにして伸びた一対の持手と、
を有し、
前記蓋部の先端が、前記持手の取付部の近くまで伸び、前記本体と前記持手とのすき間に差し込まれて前記持手によって押さえつけられて保持されることを特徴とする書類携帯用ケース。
【請求項２】
前記一対の持手の上端部にはそれらを固着させる固着部材が形成されていることを特徴とする請求項１に記載の書類携帯用ケース。
【請求項３】
前記本体及び前記蓋部は、樹脂シートよりなることを特徴とする請求項１又は２に記載の書類携帯用ケース。
【請求項４】
前記正面に形成された突起部と、前記蓋部に形成され前記突起部に係合する孔と、を更に備えることを特徴とする請求項１乃至３に記載の書類携帯用ケース。
【請求項５】
前記持手は、可撓性を有する材料よりなることを特徴とする請求項１乃至４に記載の書類携帯用ケース。
【請求項６】
前記本体の背面の上端に、折り曲げた前記蓋部の先端を仮留めする舌片を有することを特徴とする請求項１乃至５のいずれか１項に記載の書類携帯用ケース。
【考案の詳細な説明】
【技術分野】
【０００１】
本考案は、書類携帯用ケースに関する。
【背景技術】
【０００２】
従来、樹脂シートを箱状に組み立てて形成される書類携帯用ケースが各種提案されている。
【０００３】
このような書類携帯用ケースの一つとして、開口部を覆うように蓋部を取り付け、更にその蓋部に持手を取り付けたものがある。このような書類携帯用ケースは、鞄に近い使い方をすることができる点で、持手を有さないケースファイルなどよりも使い勝手に優れている。
【先行技術文献】
【特許文献】
【０００４】
【特許文献１】特開２００３−３０４９１９号公報
【特許文献２】意匠登録第１１４９１７０号公報
【考案の概要】
【考案が解決しようとする課題】
【０００５】
樹脂シートよりなる書類携帯用ケースは本体が撓みやすいため、蓋部を留具で固定する際に、留具が逃げてしまい、留具が扱いにくいという問題がある。
【０００６】
そこで、蓋部の開閉が容易にでき、書類携帯用ケースを提供することを目的とする。
【課題を解決するための手段】
【０００７】
一観点によれば、正面及び背面を有し、薄い箱型に形成された本体と、前記本体の背面から伸び出て、前記本体の上部を覆うとともに先端が前記本体の正面の上に重なる蓋部と、前記本体の正面及び背面にそれぞれ取り付けられ、前記蓋部の上に沿うようにして伸びた一対の持手と、を有し、前記蓋部の先端が、前記持手の取付部の近くまで伸び、前記本体と前記持手とのすき間に差し込まれて前記持手によって押さえつけられて保持される書類携帯用ケースが提供される。
【考案の効果】
【０００８】
上記観点の書類携帯用ケースでは、持手を本体の正面及び背面に取り付けることで、簡易で留めやすい留具で蓋部を閉じた状態にすることができる。これにより、撓みやすい樹脂シートよりなる書類携帯用ケースであっても、蓋部の開け閉めを容易に行うことができる。
【図面の簡単な説明】
【０００９】
【図１】図１は、本考案の実施形態に係る書類携帯用ケースの斜視図である。
【図２】図２は、持手の固着部材の部分拡大図である。
【図３】図３は、本考案の実施形態に係る書類携帯用ケースの展開図である。
【図４】図４は、書類携帯用ケースの蓋部及び持手を解放した状態を示す側面図である。
【図５】図５は、書類携帯用ケースの蓋部及び持手を閉じた状態を示す側面図である。
【図６】図６は、書類携帯用ケースの変形例を示す斜視図である。
【考案を実施するための形態】
【００１０】
以下、添付の図面を参照して実施形態について説明する。
【００１１】
図１は、実施形態に係る書類携帯用ケースの斜視図である。
【００１２】
図１に示すように、書類携帯用ケース１は、弾性体の樹脂シートなどを折り曲げて形成した本体２と、そこから伸び出る蓋部３とを有し、本体２には１対の持手４、５が取り付けられている。
【００１３】
本体２は薄い箱型の形状をしており、突起部６ａが設けられた正面２１と、背面２２と、開口２６とを有する。この開口２６は、書類などが出し入れできる。
【００１４】
蓋部３は、本体２の背面２２から屈曲自在に伸び出ており、本体２の上部の開口２６を覆いながら正面２１の上に重なっている。蓋部３の先端の自由端３１には、切欠きによって形成された孔６ｂが設けられている。孔６ｂは、蓋部３を閉じた状態において正面２１の突起部６ａに嵌まることで、突起部６ａと共に留具６を形成する。
【００１５】
本体２の正面２１及び背面２２に取り付けられた持手４、５は、ゴムなどの可撓性を有する材料から形成され、本体２の正面２１及び背面２２において対称な位置に配置されている。
【００１６】
図２は、持手の固着部材の部分拡大図である。
【００１７】
図２に示すように、持手４及び５の先端には、それぞれ対応する位置に凸部４１ａ、５１ａ及び凹部４１ｂ、５１ｂなどから成る固着部材４１、５１が形成され、それらを嵌めることで持手４及び５の先端同士が固着される。図示の例では、凸部と凹部とを固着部材としているが、磁石等を用いてもよい。
【００１８】
図３は、実施形態に係る書類携帯用ケース１の本体２及び蓋部３の展開図である。
【００１９】
図３に示すように、１枚の樹脂シートから成る本体２は、一点鎖線で示す所定の位置で折り曲げられ、重なりあったシート同士が溶着されて箱型に形成される。正面２１及び背面２２の上端部には、開口２６を大きくするべくＵ字型の切欠き２６ａが設けられ、書類等の収納物の出し入れを容易にしている。また、正面２１及び背面２２には、持手４、５の取付部４ａ、５ａに穴が開けられる。持手４，５は、この穴に、例えば、ネジ止めなどの方法で固定される。
【００２０】
特に限定されないが、蓋部３は本体２とは別の樹脂シートとして本体２の背面２２の上に溶着される。そして、図中の２点鎖線に沿った屈曲部３ａにおいて折り曲げられる。
【００２１】
図３の点線円内の拡大断面図に示すように、樹脂シートの屈曲部３ａには折り溝が形成され、硬い樹脂シートの折り曲げを容易にしている。
【００２２】
樹脂シートの材料としては、例えば、軽くて硬く、防水性に優れて安価なポリプロピレンなどを用いることができる。
【００２３】
なお、本体２の切欠き２６ａは必要に応じて設けるものであり、特になくても構わない。
【００２４】
図４は、書類携帯用ケース１の持手４、５を解放した状態を示す側面図である。
【００２５】
図４に示すように、本体２の背面２２に溶着された蓋部３は、折り曲げられ、側面視でＵ字（コの字）型になっている。
【００２６】
弾性体である樹脂シートを折り曲げて形成される蓋部３は、屈曲部３ａに復元力が生じて平面状に戻ろうとする。留具６は、切欠きによる孔６ｂを突起部６ａにはめ込んで固定するものであり、留具６のみでは蓋部３の自由端３１が本体２から離れる方向に跳ね上がってしまうおそれがある。
【００２７】
そこで、本実施形態の以下の構造により、簡単な構造の留具６でも蓋部３の跳ね上がりを押さえている。
【００２８】
図５は、書類携帯用ケース１の蓋部３及び持手４、５を閉じた状態を示す側面図である。
【００２９】
図５に示すように、書類携帯用ケース１においては、蓋部３の自由端３１の位置Ｆが、持手４の取付部４ａの近傍に位置するように形成されている。これにより、持手４の取付部４ａによって蓋部３の自由端３１が本体２側に押さえつけられて保持されて蓋部３が跳ね上がりにくくなる。
【００３０】
また、持手４、５の上部を固着部材４１、５１で閉じることで、蓋部３の復元力に抗して蓋部３を本体２側に押さえつける力が作用する。これにより、蓋部３の跳ね上がりを防ぐことができる。
【００３１】
さらに、本実施形態では、蓋部３は孔６ａ及び突起部６ｂよりなる簡単な留具６で留められる。この構造によれば、本体２が撓んだ場合であっても蓋部３を留具６に留めやすい。
【００３２】
上記に加えて、持手４、５が本体２に取り付けられているので、持手４、５を持った際の荷重が蓋部３に作用することはなく、蓋部３が留具６で留められた状態を維持でき、使用中に不意に蓋部３が開くといったトラブルを起こし難くなる。さらに、留具６を留めずに持ち運ぶこともできる。
【００３３】
従来の書類携帯用ケースでは、撓みの影響を受けにくい底面付近に留具を設ける必要があり、それに伴って蓋部の長さを底面側まで伸ばすものが一般的であり、蓋部が長大となっていた。そのため、従来の書類携帯用ケースでは、長大な蓋部の開閉が行い難くなっていた。
【００３４】
これに対し、本考案によれば、留具６を正面の上部に設けることが可能となり、蓋部３の長さをより短くすることが可能となり、蓋部３の開閉を行いやすい書類携帯用ケース１が得られる。
【００３５】
（その他の実施形態）
図６は、書類携帯用ケースの変形例を示す斜視図である。
【００３６】
図示の変形例に係る書類携帯用ケース１０では、本体２の背面２２側に舌片２２ａが設けられている点で書類携帯用ケース１と異なる。なお、その他の構成は書類携帯用ケース１と同様であるので詳細な説明は省略する。
【００３７】
舌片２２ａは、背面２２の上端の中央付近から上方に凸状に延びた樹脂シートよりなり、蓋部３の内側に形成されている。
【００３８】
図示のように、蓋部３を折り曲げてその先端部を蓋部３と舌片２２ａとの間に差し込むと、蓋部３が舌片２２ａに引っかかり、開いた状態に保つことができる。
【００３９】
これにより、本変形例に係る書類用携帯ケース１０では、本体２の内部の収容物の取出しを容易に行うことができる。
【符号の説明】
【００４０】
１…書類携帯用ケース、２…本体、３…蓋部、３ａ…屈曲部、４、５…持手、４ａ、５ａ…取付部、６…留具、６ａ…突起部、６ｂ…孔、２１…正面、２２…背面、２６…開口、２６ａ…切欠き、３１…自由端、４１、５１…固着部材、４１ａ、５１ａ…凸部、４１ｂ、５１ｂ…凹部。
【図１】
0003196739.tif 000003
【図２】
0003196739.tif 000004
【図３】
0003196739.tif 000005
【図４】
0003196739.tif 000006
【図５】
0003196739.tif 000007
【図６】
0003196739.tif 000008